【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
ＩＣチップ及びアンテナを有するＩＣユニットを内蔵して、少なくとも２枚の樹脂シートで挟み、この後熱及び／又は圧力を付与して前記ＩＣユニットを封入し、その後樹脂シートを打ち抜いてカードにするＩＤカードの製造方法において、前記熱及び／又は圧力を付与する前に、前記ＩＣユニットを内蔵した前記樹脂シートの表面をクリーニング手段でクリーニングすることを特徴とするＩＤカードの製造方法。
【請求項２】
ＩＣチップ及びアンテナを有するＩＣユニットを内蔵して、少なくとも２枚の樹脂シートで挟み、この後熱及び／又は圧力を付与して前記ＩＣユニットを封入し、その後樹脂シートを打ち抜いてカードにするＩＤカードの製造方法において、前記熱及び／又は圧力を付与する手段のシート接触面をクリーニング手段でクリーニングすることを特徴とするＩＤカードの製造方法。
【請求項３】
ＩＣチップ及びアンテナを有するＩＣユニットを内蔵して、少なくとも２枚の樹脂シートで挟み、この後熱及び／又は圧力を付与して前記ＩＣユニットを封入し、その後樹脂シートを打ち抜いてカードにするＩＤカードの製造装置において、前記ＩＣユニットを内蔵した前記樹脂シートの表面及び／又は、前記熱及び／又は圧力を付与する手段のシート接触面を、クリーニングするクリーニング手段を備えることを特徴とするＩＤカードの製造装置。
【請求項４】
前記熱及び／又は圧力を付与する手段のシート接触面と、搬送される前記樹脂シートの表面の間隙より広いクリーニング部材を、カード搬送方向と同方向に移動させる機構を有する請求項３項記載のＩＤカードの製造装置。
【請求項５】
前記クリーニング手段は、ポーラス状のシートを接触させてクリーニングすることを特徴とする請求項３または請求項４記載のＩＤカードの製造装置。
【請求項６】
前記ポーラス状のシートとして不織布を用いたことを特徴とする請求項５記載のＩＤカードの製造装置。
【請求項７】
前記クリーニング手段に、離型剤を含浸させることを特徴とする請求項３乃至請求項６のいずれかに記載のＩＤカードの製造装置。
【請求項８】
前記クリーニング手段に、粘着ゴムを設けてクリーニングすることを特徴とする請求項３または請求項４記載のＩＤカードの製造装置。
【請求項９】
前記クリーニング手段は、前記樹脂シートの電気陰性度と逆極である素材又は表面を被覆して形成したことを特徴とする請求項３または請求項４記載のＩＤカードの製造装置。
【請求項１０】
前記クリーニング手段は、前記樹脂シートの表面を吸引する吸引ブロアであることを特徴とする請求項３または請求項４記載のＩＤカードの製造装置。
【手続補正２】
【補正対象書類名】明細書
【補正対象項目名】０００１
【補正方法】変更
【補正の内容】
【０００１】
【発明の属する技術分野】
この発明は、ＩＣチップ及びアンテナを有するＩＣユニットを内蔵するＩＤカードの製造方法及びＩＤカードの製造装置に関するものである。


【手続補正３】
【補正対象書類名】明細書
【補正対象項目名】０００２
【補正方法】変更
【補正の内容】
【０００２】
【従来の技術】
ＩＤカードは、例えば社員証、学生証等の個人の身分を証明するに用いられ、このようなＩＤカードには、ＩＣチップ及びアンテナを有するＩＣユニットを内蔵し、表面に顔画像と記載情報を有し、裏面に筆記具等により記入することができる筆記層を設けたものがある。


【手続補正４】
【補正対象書類名】明細書
【補正対象項目名】００１３
【補正方法】変更
【補正の内容】
【００１３】
請求項４記載の発明は、『前記熱及び／又は圧力を付与する手段のシート接触面と、搬送される前記樹脂シートの表面の間隙より広いクリーニング部材を、カード搬送方向と同方向に移動させる機構を有する請求項３項記載のＩＤカードの製造装置。』である。


【手続補正５】
【補正対象書類名】明細書
【補正対象項目名】００３４
【補正方法】変更
【補正の内容】
【００３４】
クリーニング手段８０は、シート加圧加熱部７２の前段に配置され、シート加圧加熱部７２により熱及び圧力を付与する前に、ＩＣユニット６を内蔵した第１のシート材１と第２のシート材４の樹脂シートの表面をクリーニングする。クリーニング手段８０は、搬送路７０の上下に対向して配置される第１のシート供給部８１ａと第２のシート供給部８１ｂを有し、第１及び第２のシート供給部８１ａ，８１ｂは、供給軸８１ａ１，８１ｂ１と巻取軸８１ａ２，８１ｂ２を備え、第１及び第２のクリーニングシート８２，８３を矢印方向に供給する。このように、第１及び第２のクリーニングシート８２，８３により熱及び圧力を付与する前に、ＩＣユニット６を内蔵した第１のシート材１と、第２のシート材４の樹脂シートの表面をクリーニングするから、ゴミやほこり等の異物を除去することができる。


【手続補正６】
【補正対象書類名】明細書
【補正対象項目名】００４１
【補正方法】変更
【補正の内容】
【００４１】
打抜部７３は、搬送路７０の上下に対向して配置されるカード打抜上型７３ａ及びカード打抜下型７３ｂからなる。カード打抜上型７３ａは上下方向に移動可能になっており、第１及び第２のシート材１，４が完全に熱溶着した後一体となり、その後ＩＤカードＣＡの大きさに打ち抜くようになっている。カード打抜下型７３ｂの下方部には、シート８４から例えば４〜１００枚抜かれたＩＤカードＣＡを順次積み上げて収納する収納部８５が設けられる。


【手続補正７】
【補正対象書類名】明細書
【補正対象項目名】００４４
【補正方法】変更
【補正の内容】
【００４４】
このように両面に接着剤層が形成された第１及び第２のシート材１，４は、さらに、送り込まれて対向され、これら第１及び第２のシート材１，４間には一つずつ取出されたＩＣユニット６が挿入される。その後、クリーニング手段８０によりシート加圧加熱部７２で熱及び圧力を付与する前に、ＩＣユニット６を内蔵した樹脂シートの表面を第１の保護フィルム８２と第２の保護フィルム８３とでクリーニングし、シート加圧加熱部７２の熱プレス上型７２ａとフィルム支持体１１、熱プレス下型７２ｂとフィルム支持体１２との間に送り込まれ、これら第１及び第２の保護フィルム８２，８３、さらに、第１及び第２のシート材１，４が熱プレス部７２により、間欠的に加圧加熱される。これにより、第１及び第２のシート材１，４のゲル状の熱硬化性樹脂は硬化され、ＩＣユニット６を封入する。


【手続補正８】
【補正対象書類名】明細書
【補正対象項目名】００５４
【補正方法】変更
【補正の内容】
【００５４】
図３はＩＤカードの製造装置の他の実施の形態を示す図である。この実施の形態では、図２の実施形態と同じ構成は同じ符号を付して説明を省略する。この実施の形態では、クリーニング手段６５が備えられている。このクリーニング手段６５は、搬送路７０の上下に対向して配置される第１のシート供給部６５ａと第２のシート供給部６５ｂを有し、第１及び第２のシート供給部６５ａ，６５ｂは、供給軸６５ａ１，６５ｂ１と巻取軸６５ａ２，６５ｂ２を備え、第１及び第２のクリーニングシート６６，６７を矢印方向に供給する。


【手続補正９】
【補正対象書類名】図面
【補正対象項目名】図１
【補正方法】変更
【補正の内容】
【図１】
2000001069.tif 000001